(57)【要約】      （修正有）【課題】使用者が使って楽しく、しかも、見て楽しむことも可能な人形型文房具を提供する。【解決手段】キャラクター人形の胴体および脚を構成する支持部材２を備える。支持部材２の上面に着脱可能に取付けられてキャラクター人形の頭部を構成する文房具本体３を備える。支持部材２は、胴体部４と脚部５とを有する。文房具本体３は、多数のメモ紙１１が厚み方向に重ねられるとともに各メモ紙１１の一端１１ａどうしが切り離し可能に接着されてなるメモ紙塊１２である。文房具本体３における前記厚み方向の一端が支持部材２の上面に着脱可能に貼り付けられる。文房具本体３の側面と上面には、キャラクター人形の顔面を含む頭部の絵柄１５が設けられている。【選択図】図４
0003181612.tif 000002
【実用新案登録請求の範囲】
【請求項１】
キャラクター人形の胴体および脚を構成する支持部材と、
前記支持部材の上面に着脱可能に取付けられて前記キャラクター人形の頭部を構成する文房具本体とを備え、
前記支持部材は、前記キャラクター人形の胴体の絵柄が設けられた胴体部と、この胴体部の下に設けられた脚部とを有し、
前記文房具本体は、多数のメモ紙が厚み方向に重ねられるとともに各メモ紙の一端どうしが切り離し可能に接着されてなるメモ紙塊であり、
前記文房具本体における前記厚み方向の一端が前記支持部材の上面に着脱可能に貼り付けられ、
前記文房具本体の側面と上面には、前記キャラクター人形の顔面を含む頭部の絵柄が設けられていることを特徴とする人形型文房具。
【請求項２】
請求項１記載の人形型文房具において、前記支持部材の胴体部の前記絵柄は、この胴体部に貼付けられた粘着シールによって構成され、
前記粘着シールは、前記キャラクター人形の胴体を展開させた絵柄が印刷されて前記胴体部に巻き付けられていることを特徴とする人形型文房具。
【請求項３】
請求項１または請求項２のうちいずれか一つに記載の人形型文房具において、前記支持部材の胴体部には、前記キャラクター人形の腕を構成する腕部が設けられていることを特徴とする人形型文房具。
【請求項４】
請求項１ないし請求項３のうちいずれか一つに記載の人形型文房具において、前記各メモ紙の互いに接着される前記一端は、前記キャラクター人形の後頭部に位置付けられ、
前記支持部材の脚部は、この支持部材の胴体部より前記キャラクター人形の前側と後側とに突出していることを特徴とする人形型文房具。
【考案の詳細な説明】
【技術分野】
【０００１】
本考案は、キャラクター人形の頭部に文房具本体を設けて構成された人形型文房具に関するものである。
【背景技術】
【０００２】
近年の文房具としては、使用者が興味をもつように付加価値が付与されたものがある。この種の文房具としては、例えば特許文献１に記載されているものがある。
特許文献１に開示されている文房具は、メモ用紙を支持する裏表紙と、メモ用紙の奥側に高さや奥行きのある階段状に形成された階段部とを備えている。階段部には、使用者が興味をもつような商品広告や絵柄などが設けられる。
【先行技術文献】
【特許文献】
【０００３】
【特許文献１】特開２０１１−５６８０５号公報
【考案の概要】
【考案が解決しようとする課題】
【０００４】
特許文献１に開示されている文房具は、文房具本体としてのメモ用紙と、使用者に興味をもたせる階段部とに因果関係がないものである。すなわち、文房具の階段部は、メモ用紙を使用するうえで何らかの影響を及ぼすものではない。このため、この従来の文房具では、文房具本体（メモ用紙）を使う楽しみを使用者に与えることはできないし、使用者がこの文房具を見て楽しむこともできないという問題があった。
【０００５】
本考案はこのような問題を解消するためになされたもので、使用者が使って楽しく、しかも、見て楽しむことも可能な人形型文房具を提供することを目的とする。
【課題を解決するための手段】
【０００６】
この目的を達成するために、本考案に係る人形型文房具は、キャラクター人形の胴体および脚を構成する支持部材と、前記支持部材の上面に着脱可能に取付けられて前記キャラクター人形の頭部を構成する文房具本体とを備え、前記支持部材は、前記キャラクター人形の胴体の絵柄が設けられた胴体部と、この胴体部の下に設けられた脚部とを有し、前記文房具本体は、多数のメモ紙が厚み方向に重ねられるとともに各メモ紙の一端どうしが切り離し可能に接着されてなるメモ紙塊であり、前記文房具本体における前記厚み方向の一端が前記支持部材の上面に着脱可能に貼り付けられ、前記文房具本体の側面と上面には、前記キャラクター人形の顔面を含む頭部の絵柄が設けられているものである。
【０００７】
本考案は、前記考案において、前記支持部材の胴体部の前記絵柄は、この胴体部に貼付けられた粘着シールによって構成され、前記粘着シールは、前記キャラクター人形の胴体を展開させた絵柄が印刷されて前記胴体部に巻き付けられていることを特徴とする。
本考案は、前記考案において、前記支持部材の胴体部には、前記キャラクター人形の腕を構成する腕部が設けられていることを特徴とする。
【０００８】
本考案は、前記考案において、前記各メモ紙の互いに接着される前記一端は、前記キャラクター人形の後頭部に位置付けられ、前記支持部材の脚部は、この支持部材の胴体部より前記キャラクター人形の前側と後側とに突出していることを特徴とする。
【考案の効果】
【０００９】
本考案に係る人形型文房具は、メモ紙塊からなる文房具本体によって頭部が形成されたキャラクター人形を構成するものとなる。このため、使用者に使う楽しみを与えことができるとともに、使用者が見て楽しむことができる人形型文房具を提供することができる。
【図面の簡単な説明】
【００１０】
【図１】本考案に係る人形型文房具とキャラクター人形とを示す図で、同図（Ａ）は人形型文房具の正面図、同図（Ｂ）はキャラクター人形の正面図である。
【図２】本考案に係る人形型文房具の側面図である。
【図３】本考案に係る人形型文房具の平面図である。
【図４】本考案に係る人形型文房具の使用前の状態を示す斜視図である。
【図５】本考案に係る人形型文房具のメモ紙を捲り上げた状態を示す斜視図である。
【図６】腕部が一体成形された支持部材を組み立てる手順を説明するための図で、同図（Ａ）は支持部材の初期の状態を示す斜視図、同図（Ｂ）は腕部を塗装した状態を示す斜視図、同図（Ｃ）は粘着シールの平面図、同図（Ｄ）は粘着シールを貼り付ける工程を示す斜視図、同図（Ｅ）は支持部材に頭部を接着する工程を示す斜視図である。
【図７】腕部が別体に形成された支持部材を組み立てる手順を説明するための図で、同図（Ａ）は支持部材の初期の状態を示す斜視図、同図（Ｂ）は粘着シールの平面図、同図（Ｃ）は粘着シールを貼り付ける工程を示す斜視図、同図（Ｄ）は腕部材を接着する工程を示す斜視図、同図（Ｅ）は支持部材に頭部を接着する工程を示す斜視図である。
【図８】支持部材の他の実施の形態を示す斜視図である。
【考案を実施するための形態】
【００１１】
以下、本考案に係る人形型文房具の一実施の形態を図１〜図６によって詳細に説明する。
図１（Ａ）に示す人形型文房具１は、同図（Ｂ）に示すキャラクター人形Ａを構成するように形成されている。すなわち、この人形型文房具１は、前記キャラクター人形Ａの胴体Ｂと、脚Ｃと、腕Ｄとを構成する支持部材２と、前記キャラクター人形Ａの頭部Ｅを構成する文房具本体３とを備えている。
【００１２】
前記支持部材２は、図１（Ａ）、図２および図４に示すように、立方体状の胴体部４および脚部５と、前記胴体部４の２側部に凸設された一対の腕部６とによって形成されている。この実施の形態による前記胴体部４と、前記脚部５と、前記腕部６とは、プラスチック材料によって一体成形により一体に形成されている。
【００１３】
前記胴体部４は、前記キャラクター人形Ａの胴体Ｂを構成するものである。この胴体部４には、前記キャラクター人形Ａの胴体Ｂの絵柄７が設けられている。この絵柄７は、前記胴体部４に巻き付けられて貼付けられた粘着シール８｛図６（Ｃ）〜（Ｅ）参照｝によって構成されている。この粘着シール８の表面には、前記キャラクター人形Ａの胴体Ｂを展開させた絵柄９が印刷されている。この粘着シール８の裏面には、接着剤（図示せず）が塗布されている。また、この粘着シール８には、後述する腕部６を通すための穴１０が形成されている。
【００１４】
前記脚部５は、前記キャラクター人形Ａの脚Ｃを構成するもので、前記胴体部４の下に設けられている。この実施の形態による前記脚部５は、キャラクター人形Ａの前後方向に長い角柱状に形成されており、前記胴体部４より前記キャラクター人形Ａの前側と後側とに突出している。脚部５の左右方向の幅は、胴体部４の左右方向の幅と略等しくなるように形成されている。この脚部５は、図示してはいないが、胴体部４と同様に粘着シールを貼り付けたり、塗装したりしてキャラクター人形Ａに適する絵柄を設けることができる。
【００１５】
前記腕部６は、前記キャラクター人形Ａの腕Ｄを構成するもので、前記胴体部４の左右方向の両側部に側方へ突出するように設けられている。この実施の形態による前記腕部６は、図２に示すように、側方から見て上下方向に長い楕円状であって、正面および上方から見て円弧状を呈する縦長の球の一部となるような形状に形成されている。
【００１６】
前記文房具本体３は、図５に示すように、いわゆるブロックメモと呼称されるもので、多数のメモ紙１１が一つの塊となるように重ねられたメモ紙塊１２によって構成されている。前記多数のメモ紙１１は、厚み方向に重ねられている。各メモ紙１１の一端１１ａどうしは、図示していない接着剤によって互いに切り離し可能に接着されている。
【００１７】
このメモ紙塊１２は、前記支持部材２（胴体部４）の上面２ａ（図６参照）に着脱可能に貼り付けられている。この実施の形態においては、メモ紙塊１２における前記厚み方向の一端（下端）が両面テープ１３｛図６（Ｅ）参照｝によって前記胴体部４の上面に着脱可能に貼付けられている。両面テープ１３は、支持部材２の上面２ａと略同一の形状に予め形成されている。
【００１８】
メモ紙塊１２の水平方向を指向する４つの側面と上面とには、前記キャラクター人形Ａの顔面１４を含む頭部Ｅの絵柄１５が設けられている。この頭部Ｅの絵柄１５は、メモ紙塊１２の側面および上面に印刷されている。また、この絵柄１５は、前記各メモ紙１１の互いに接着される前記一端１１ａが前記キャラクター人形Ａの後頭部Ｆに位置するように描かれている。
【００１９】
メモ紙塊１２の絵柄１５には、顔面１４に位置する目１５ａ、鼻１５ｂ、口１５ｃなどが含まれている。また、メモ紙塊１２の左右方向の両側面と上面とには、耳１５ｄが描かれている。なお、メモ紙塊１２の絵柄１５は、これらの目１５ａ、鼻１５ｂ、口１５ｃ、耳１５ｄなどに限定されることはない。すなわち、この絵柄１５には、図示してはいないが、例えばリボンや頭髪などのキャラクターの特徴的な絵柄、模様などを加えることができる。
【００２０】
次に、この実施の形態による人形型文房具１の組立手順を図６によって説明する。この人形型文房具１の文房具本体３であるメモ紙塊１２は、顔面１４を含む頭部Ｅの絵柄１５が予め印刷されているものを用いる。
先ず、図６（Ａ）に示すように、支持部材２を用意し、図６（Ｂ）に示すように、この支持部材２の腕部６を必要に応じて塗装する。次に、同図（Ｃ）に示す粘着シール８を用意する。この粘着シール８は、キャラクター人形Ａの胴体Ｂを展開した絵柄が予め印刷されたものである。そして、図６（Ｄ）に示すように、前記粘着シール８を支持部材２の胴体部４に巻き付けて貼り付ける。このとき、支持部材２の腕部６を粘着シール８の穴１０に挿入する。粘着シール８が胴体部４に貼り付けられることによって、支持部材２が完成する。
【００２１】
次に、支持部材２の上面２ａに両面テープ１３を貼付け、この両面テープ１３の上側の剥離紙（図示せず）を剥離した後、この両面テープ１３の上に文房具本体３を載せて貼り付ける。このように文房具本体３を両面テープ１３で支持部材２に貼り付けることによって、人形型文房具１の組立が終了する。
文房具本体３のメモ紙１１は、上に位置するものから１枚ずつ切り離して使うことができる。メモ紙１１をメモ紙塊１２から切り離すためには、最も上に位置するメモ紙１１の前端部を把持し、図５に示すように、このメモ紙１１を例えば斜め上方に捲るように引いて行う。
メモ紙塊１２の全てのメモ紙１１を使い終わった場合は、支持部材２の上面２ａの両面テープ１３を剥がし、この支持部材２に新しい両面テープ１３を介して新品のメモ紙塊１２を取り付ける。
【００２２】
この実施の形態による腕部６は、胴体部４と一体に形成されている。しかし、この腕部６は、図７に示す第１の変形例や図８に示す第２の変形例のように、胴体部４とは別体に形成することができる。図７および図８において、前記図１〜図６によって説明したものと同一もしくは同等の部材については、同一符号を付し詳細な説明を適宜省略する。
【００２３】
第１の変形例に示す腕部６は、図７（Ｄ）に示すように、支持部材２とは別体に形成され、支持部材２の胴体部４に貼り付けられた粘着シール８の表面に接着される。この場合の粘着シール８は、図７（Ｂ）に示すように、腕部６と対応する部分にも延びるように形成されている。すなわち、この第１の変形例に用いる粘着シール８に前記腕部６を通すための穴１０は形成されていない。
【００２４】
第２の変形例に示す腕部６は、図８に示すように、取付用ピン２１が一体に設けられている。一方、この第２の変形例に用いる支持部材２の胴体部４には、前記ピン２１を挿入するための小孔２２が穿設されている。この腕部６は、前記ピン２１が前記小孔２２に嵌ることによって、胴体部４に簡単に外れることがないように取付けられている。
【００２５】
上述したように構成された人形型文房具１は、メモ紙塊１２からなる文房具本体３によって頭部Ｅが形成されたキャラクター人形Ａを構成するものとなる。このため、この実施の形態によれば、使用者に使う楽しみを与えことができるとともに、使用者が見て楽しむことができる人形型文房具を提供することができる。この実施の形態による人形型文房具１は、例えば棚に立てて置くことができるから、他の種類のキャラクターのものを集めて楽しむことも可能である。
【００２６】
この実施の形態による前記支持部材２の胴体部４の絵柄９は、この胴体部４に貼付けられた粘着シール８によって構成されている。前記粘着シール８は、前記キャラクター人形Ａの胴体Ｂを展開させた絵柄９が印刷されて前記胴体部４に巻き付けられている。
このため、この実施の形態によれば、支持部材２の胴体部４にキャラクター人形Ａの胴体Ｂの絵柄を簡単に設けることができるから、製造コストを低減でき、人形型文房具を安価に提供することができる。
【００２７】
この実施の形態による前記支持部材２の胴体部４には、前記キャラクター人形Ａの腕Ｄを構成する腕部６が設けられている。
このため、この実施の形態によれば、支持部材２の胴体部４がより一層キャラクター人形Ａの胴体Ｂに似るようになるから、更に見る楽しみが増すようになる。
【００２８】
この実施の形態による各メモ紙１１の互いに接着される前記一端１１ａは、前記キャラクター人形Ａの後頭部Ｆに位置付けられている。前記支持部材２の脚部５は、この支持部材２の胴体部４より前記キャラクター人形Ａの前側と後側とに突出している。
このため、支持部材２の載置の安定が図られるから、使用者が最上部のメモ紙１１の前端部を把持し、このメモ紙１１を上方に捲るようにして切り離すことが可能になる。
したがって、この実施の形態によれば、人形型であるにもかかわらず使い勝手がよい人形型文房具を提供することができる。
【００２９】
上述した実施の形態による人形型文房具１は、腕部６を備えている。しかし、本考案に係る人形型文房具は、このような限定にとらわれることはなく、腕部６を省略して構成することが可能である。また、文房具本体３であるメモ紙塊１２の形状は、この実施の形態に示したような立方体に限定されることはなく、適宜変更することが可能である。
【符号の説明】
【００３０】
１…人形型文房具、２…支持部材、３…文房具本体、４…胴体部、５…脚部、６…腕部、８…粘着シール、９，１５…絵柄、１１…メモ紙、１２…メモ紙塊、Ａ…キャラクター人形、Ｂ…胴体、Ｃ…脚、Ｄ…腕、Ｅ…頭部、Ｆ…後頭部。
【図１】
0003181612.tif 000003
【図２】
0003181612.tif 000004
【図３】
0003181612.tif 000005
【図４】
0003181612.tif 000006
【図５】
0003181612.tif 000007
【図６】
0003181612.tif 000008
【図７】
0003181612.tif 000009
【図８】
0003181612.tif 000010